(57)【要約】  フリップトップ型のクロージャ（１０）およびボトルまたは他の容器と組み合わせられたクロージャ。クロージャは、パッケージ（７４）に解除可能に締めつけ固定可能であるキャップ基部（１２）を備え、キャップ基部は開口部を含む。閉鎖フラップ（１６）はキャップ基部へと可動的に取り付けられ、閉鎖フラップが閉鎖位置にある場合には、キャップ基部の開口部を通るパッケージからの液体放出を防止するのにこれは適している。閉鎖フラップは、閉鎖フラップから延出しているロッキングフラップを有し、閉鎖フラップに可動的に取り付けられる。ロッキングフラップ固締具（７０）は、ロッキングフラップをキャップ基部またはパッケージへと解除可能に固定するために提供され、輸送中および消費者による使用中、クロージャの不意の開放を防止する。ロッキングフラップ（３８）は、通常使用中に閉鎖フラップ内に押し込まれ、輸送中の閉鎖フラップをロックするのに使用されてよい。ロッキングフラップは、キャップ基部内の凹部（２０）に配置されてよい。【選択図】図４
2022500320.tif 000002
【特許請求の範囲】
【請求項１】
クロージャ（１０）であって、
ａ）パッケージ（７４）からの液体放出に対する障壁を含むキャップ基部（１２）であって、
ｉ）開口部（２４）と、
ｉｉ）前記キャップ基部（１２）を前記パッケージ（７４）に締めつけ固定するための固締具と、
を含む、キャップ基部（１２）、
ｂ）前記キャップ基部に可動的に取り付けられる閉鎖フラップ（１６）であって、前記閉鎖フラップ（１６）が閉鎖位置にある場合、前記開口部（２４）を通って前記パッケージ（７４）からの液体放出を防止するのに適しており、前記キャップ基部と共に、前記パッケージからの前記液体放出を防止するのに適している、閉鎖フラップ（１６）、
ｃ）自身の端部から延出し、前記閉鎖フラップに可動的に取り付けられている、ロッキングフラップ（３８）を有する前記閉鎖フラップ（１６）、
ｄ）前記閉鎖フラップを前記キャップ基部へと解除可能に固定するための閉鎖フラップ固締具を含む前記閉鎖フラップであって、プラットフォーム（２２）を含み、自身の各側にて側壁（２８）を前記プラットフォームから下垂させる、前記閉鎖フラップ、
ｅ）前記閉鎖フラップが前記閉鎖位置にある場合には、前記キャップ基部（１２）と接触する底面を有する前記閉鎖フラップ（１６）、
ｆ）前記ロッキングフラップを、前記パッケージ（７４）または前記キャップ基部（１２）のどちらかまたは両方に、解除可能に締めつけ固定するためのロッキングフラップ固締具（７０）を有する前記閉鎖ロッキングフラップ（３８）、
ｇ）前記閉鎖フラップ（１６）が前記閉鎖位置にある場合、少なくとも第１（Ａ）の代替的な位置および第２（Ｂ）の代替的な位置を有する前記ロッキングフラップ（３８）であって、位置（Ａ）は前記閉鎖フラップ底面（２２）の下部にあり、前記閉鎖フラップに対して内部に存在し、前記ロッキングフラップは位置（Ａ）では、前記閉鎖フラップ側壁内に押し込まれ、位置（Ｂ）は前記閉鎖フラップ（１６）に対して外部に存在し、これにより前記ロッキングフラップ（３８）が前記パッケージまたは前記キャップ基部へと締めつけ固定され得る、前記ロッキングフラップ（３８）、
を備える、クロージャ（１０）。
【請求項２】
前記閉鎖フラップ（１６）が前記閉鎖フラップの一方の端部にて前記キャップ基部（１２）へと枢動的に取り付けられ、前記ロッキングフラップ（３８）が前記第１の端部に対向する、前記閉鎖フラップの第２の端部から延出することを特徴とする、請求項１に記載のクロージャ（１０）。
【請求項３】
前記ロッキングフラップ固締具が、前記キャップ基部上の穴（４４）へとスナップフィット可能である延出部（７０）を備え、前記ロッキングフラップ（３８）を前記キャップ基部（１２）上へと解除可能に固定することを特徴とする、請求項１または２に記載のクロージャ（１０）。
【請求項４】
ロッキングフラップ（３８）が、１つまたは複数のヒンジ（３４）によって前記閉鎖フラップ（１６）に取り付けられることを特徴とする、請求項１〜３のいずれか一項に記載のクロージャ。
【請求項５】
少なくとも１つの前記ヒンジ（３４）が、前記閉鎖フラップ上の凹部内部に受容されることを特徴とする、請求項４に記載のクロージャ。
【請求項６】
パッケージ（７４）に解除可能に締めつけ固定される、請求項１〜５のいずれか一項に記載のクロージャ（１０）。
【請求項７】
前記キャップ基部の頂面に凹部（２０）を更に備え、前記閉鎖フラップ（１６）が、前記閉鎖フラップが前記閉鎖位置にある場合、前記キャップ基部の凹部（２０）内部に受容されることを特徴とする、請求項１〜６のいずれか一項に記載のクロージャ。
【請求項８】
前記閉鎖フラップ（１６）が、前記閉鎖フラップの一方の端部にて前記キャップ基部へと枢動的に取り付けられ、前記ロッキングフラップ（３８）が前記第１の端部に対向する前記閉鎖フラップの第２の端部から延出することを特徴とする、請求項１〜７のいずれか一項に記載のクロージャ（１０）。
【請求項９】
前記ロッキングフラップが、前記キャップ基部上の穴（４４）へとスナップフィット可能である延出部（７０）を備え、前記キャップ基部（１２）上へと前記ロッキングフラップ（３８）を解除可能にロックすることを特徴とする、請求項１〜８のいずれか一項に記載のクロージャ。
【請求項１０】
前記ロッキングフラップ（３８）が、１つまたは複数のヒンジ（３４）によって前記閉鎖フラップ（１６）へと取り付けられることを特徴とする、請求項１〜９のいずれか一項に記載のクロージャ（１０）。
【請求項１１】
少なくとも１つの前記ヒンジ（３４）が、前記閉鎖フラップ上の凹部内部に受容されることを特徴とする、請求項１〜１０のいずれか一項に記載のクロージャ（１０）。
【請求項１２】
パッケージ（７４）に解除可能に締めつけ固定される、請求項１〜１１のいずれか一項に記載のクロージャ（１０）。
【請求項１３】
前記ロッキングフラップ（３８）を再び利用することが望ましい場合に、前記ロッキングフラップ（３８）が前記閉鎖フラップ（１６）をロックするのに利用可能であることを特徴とする、請求項１〜１２のいずれか一項に記載のクロージャ（１０）。
【請求項１４】
位置（Ａ）において、ロッキングフラップ（３８）が、前記プラットフォーム（２２）に取り付けられるタブ（６４）によって収容位置に保定されることを特徴とする、請求項１〜１３のいずれか一項に記載のクロージャ。
【発明の詳細な説明】
【技術分野】
【０００１】
ボトルおよび他の容器におけるクロージャの保全性は、常に消費者商品の製造業者にとっての懸念事項である。出荷中の製品の漏れは、手痛い問題であり得る。また、消費者の管理下にて製品が漏れると再度の購入にはつながらない。
【背景技術】
【０００２】
漏れといった懸念は、現在のｅ−コマースの世界において拡大している。ｅ−コマース小売業者からボトルを個別で出荷する間、または更に製造業者からｅ−コマースで出荷する間に製品からの漏れを保護するより、大量のボトルを完全な状態のままで一緒に出荷することを保証することのほうがいくらか容易である。同様に、消費者が容器を開封した後の、自身による容器の輸送は問題点を抱える可能性があり、例えば休暇時に使用しているスーツケース内での製品の漏れを生じることがある。
【０００３】
例えばシャンプー、ボディウオッシュ、スキンクリームなどの消費者商品用のクロージャで一般的な種類のものはフリップトップクロージャである。ヒンジ型フラップは開放位置と閉鎖位置との間で回転することを特徴とする。こうした種類のクロージャおよび他の種類のクロージャを有する場合、出荷中にフラップが予期しない状態で開かないことを保証するため、採用されるべき配慮が必要となる。
【０００４】
種々の種類のフリップトップおよび他の種類のクロージャは文献に記載されている。
【０００５】
Ｌｏｎｇ  ｅｔ  ａｌ．による米国デザイン特許第７４８９４９号、Ｔａｃｋｅｒ  ｅｔ  ａｌ．による米国デザイン特許第７４９３６３号、Ｌａｎｅによる米国デザイン特許第６９０５５９号、Ｇｅｏｒｇｅによる米国デザイン特許第６２４３５７号およびＧｉｌｂｅｒｔによる米国デザイン特許第５８７９６９号は、容器および／またはクロージャ用のデザインを開示している。
【０００６】
Ｕｈｌｉｇによる米国特許第４，５３３，０５８号は、子供によるいたずらを防止する、成形された１個の熱可塑性プラスチック製小出しクロージャを開示している。クロージャの頂部には、封止フラップを受容するための凹部が含まれる。
【０００７】
Ｗａｈｌによる米国特許出願公開第２０１４／００３４６４４号は、下部本体部分および選択的に開放可能な上部本体部分を含む、飲料容器およびフラスコを開示している。上部本体部分は、フラスコの上部本体部分を残りの部分に対して枢動させることにより、ユーザが定位置にあるパネルを選択的にロック可能である固締具を含むよう、構成されている。
【０００８】
Ｌａｂｕｒｕによる欧州特許第２５５６３２号は封止キャップを開示している。
【０００９】
Ｗｉｌｌｅによる米国特許出願公開第２０１４０４８５４９号は、少なくとも３つの位置を有するクロージャを伴った蓋を有する容器に関する。
【００１０】
Ｈａｂｅｒｍａｎｎによる欧州特許第１４６００００号は、ロック可能なヒンジ型クロージャを開示し、Ｋｌｏｐｆｅｒによる米国特許出願公開第２００４／００２６４６５号は、ヒンジ型クロージャを開示している。
【００１１】
仏国特許第２７７１３８６号は、製品容器に取り付けられており、かつ製品を小出しにすることができる第１の開放位置と、製品の流出を防止する第２の閉鎖位置との間で移動可能であるキャップを有するクロージャに関する。このキャップはタブを有しているが、これはキャップに恒久的に取り付けられており、閉鎖位置では、キャップに衝撃が加わる場合キャップの不意の開放を防止するために、このタブは突出することなくクロージャの水平領域に位置する。
【先行技術文献】
【特許文献】
【００１２】
【特許文献１】米国デザイン特許第７４８９４９号
【特許文献２】米国デザイン特許第７４９３６３号
【特許文献３】米国デザイン特許第６９０５５９号
【特許文献４】米国デザイン特許第６２４３５７号
【特許文献５】米国デザイン特許第５８７９６９号
【特許文献６】米国特許第４，５３３，０５８号
【特許文献７】米国特許出願公開第２０１４／００３４６４４号
【特許文献８】欧州特許第２５５６３２号
【特許文献９】米国特許出願公開第２０１４０４８５４９号
【特許文献１０】欧州特許第１４６００００号
【特許文献１１】米国特許出願公開第２００４／００２６４６５号
【特許文献１２】仏国特許第２７７１３８６号
【発明の概要】
【課題を解決するための手段】
【００１３】
本発明は、フリップトップ型のクロージャおよびボトルまたは他の容器と組み合わせられたクロージャに関する。
【００１４】
クロージャは、パッケージに解除可能に締めつけ固定可能であるキャップ基部を備え、キャップ基部は開口部を含む。閉鎖フラップはキャップ基部に可動的に取り付けられ、閉鎖位置にある場合には、キャップ基部の開口部を通るパッケージからの液体放出を防止するのに適している。キャップ基部の一部は、閉鎖フラップと共にパッケージからの液体放出を防止するのに適している障壁を構成する。
【００１５】
閉鎖フラップは、このフラップから延出しているロッキングフラップを有し、好ましくはこのフラップの一方の端部から延在し、閉鎖フラップへと可動的に取り付けられる。ロッキングフラップ固締具は、ロッキングフラップをキャップ基部またはパッケージへと解除可能に固定するために提供され、輸送中または消費者による使用中のクロージャの不意の開放を防止する。
【００１６】
第１の実施形態では、閉鎖フラップが閉鎖位置にある場合には、閉鎖フラップはキャップ基部と接触する底面を有し、閉鎖フラップが閉鎖位置にある場合には、ロッキングフラップは少なくとも第１（Ａ）の代替的な位置および第２（Ｂ）の代替的な位置を有する。位置（Ａ）は閉鎖フラップ底面の下部にあり、閉鎖フラップ内部にある。また、位置（Ｂ）は閉鎖フラップ外部にあり、これによりロッキングフラップはパッケージまたはキャップ基部へと締めつけ固定可能である。位置Ａでは、ロッキングフラップは閉鎖フラップの下に押し込まれ、輸送中の不意の開放が懸念材料ではないか、または懸念材料が少ない場合、この位置におけるクロージャは、消費者にとって日常的な作業で使用するのに更に簡便であり得る。
【００１７】
第１の実施形態と組み合わせることができる第２の実施形態では、キャップ基部はその頂面に凹部を含む。閉鎖フラップはキャップ基部に可動的に取り付けられ、閉鎖位置にある場合にはキャップ基部の凹部内部に受容され、閉鎖位置にある場合には開口部を通るパッケージからの液体放出を防止するのに適している。ロッキングフラップは、閉鎖位置で閉鎖フラップを解除可能に固定するために閉鎖フラップから延出する。望ましい場合には、第１の実施形態にあるように、ロッキングフラップは代替的には閉鎖フラップが閉鎖位置にある場合には閉鎖フラップの下に押し込まれてよい。第２の実施形態では、閉鎖フラップは、閉鎖位置にある場合にはキャップ基部の凹部内部に受容され、ロッキングフラップは閉鎖フラップの下に押し込まれてよい。
【００１８】
閉鎖フラップは好ましくはリビングヒンジを用いてキャップ基部に取り付けられる。同様に、ロッキングフラップは好ましくはリビングヒンジを用いて閉鎖フラップに取り付けられる。
【００１９】
本発明の上記のおよび他の特徴、ならびにその利点をより完全に理解するために、好ましい実施形態の以下の詳細な説明および添付の図面を参照する必要がある。
【図面の簡単な説明】
【００２０】
【図１】本発明によるクロージャの正面図である。
【図２】閉鎖フラップが閉鎖位置にある、本発明によるクロージャの上部または右側からの斜視図である。
【図３】閉鎖フラップが部分的に開放していることを特徴とする、図２のクロージャの斜視図である。
【図４】閉鎖フラップが開放状態であり、閉鎖フラップ内に押し込まれたロッキングフラップを有する、図２のクロージャの斜視図である。
【図５】閉鎖フラップは閉鎖位置にあるが、ロッキングフラップは閉鎖フラップ内に押し込まれていることを特徴とする、図１のクロージャの斜視図である。
【図６】図１の線６−６に沿った横断面である。
【図７】本発明によるボトルとクロージャを組み合わせたものの斜視図である。
【発明を実施するための形態】
【００２１】
クロージャ１０はキャップ基部１２を備える。キャップ基部１２は、頂面１４と、頂面から下垂している円筒形スカート１３を含む。スカート１３は半円形の凹部４０を含む。これはロッキングフラップを受容するように成形されており、下記にて説明される。凹部４０は穴４４を含む。凹部４０および穴４４の下には指で進入可能な凹部４２があり、これにより消費者は容易にロッキングフラップ３８を解除することができる。
【００２２】
閉鎖フラップ１６は表面１４に形成されており、リビングヒンジ１８によりキャップ基部１２へと可動的かつ枢動的に取り付けられている。開放位置に閉鎖フラップ１６を位置づけることで、キャップ基部１２の頂面１４に凹部２０が現れる。凹部２０は表面１４から下垂している側壁５６、および中に開口部２４が配置されている凹部プラットフォーム６０によって画定される。プラットフォーム６０および表面１４が、クロージャ１２が締めつけ固定されているパッケージからの液体放出に対して障壁を構成することは明らかであろう。閉鎖フラップ１６は、頂面１４と続いているプラットフォーム２２を含む。プラットフォーム２２は下垂している円筒形プラグ２６を含む。閉鎖フラップ側壁２８は、その側壁の各側にてプラットフォーム２２から下垂している。
【００２３】
リビングヒンジ１８を用いて取り付けられている対向端部では、閉鎖フラップ１６は、リビングヒンジ３４、３６を受容し、このヒンジによりロッキングフラップ３８が取り付けられている凹部３０、３２を含む。ロッキングフラップ３８は、ヒンジ３４、３６上で少なくとも、閉鎖フラップ側壁２８と近接するプラットフォーム１６の内部にて押し込まれていることを特徴とする位置（Ａ）と、閉鎖フラップを解除可能に固定するよう位置づけられていることを特徴とする位置（Ｂ）との間で枢動する。位置（Ａ）では、ロッキングフラップ３８はプラットフォーム２２の下面にてリブ５０と接触し、プラットフォーム２２に取り付けられるタブ６４により収容位置に保定される。ロッキングフラップ３８はタブ６４の下にてスナップ方式で留められてよく、他のロッキング構造によって保定されてよい。
【００２４】
ロッキングフラップ３８は、閉鎖フラップの近位端部と抵触することなく枢動させるため、ロッキングフラップ用の間隙を生じさせる凹部４８を含む。ロッキングフラップ３８は、ロッキングフラップが図２に示されたロック位置にある場合、穴４４内部にてスナップフィットするアームまたは他の延出部材７０を含む。
【００２５】
通常、本発明のクロージャ１０は、図７より明らかなように、ボトル７４または他のパッケージへと締めつけ固定される。固締具（図示せず）は通常、クロージャの下面に存在しており、ねじまたは凹型押し、型押しなどのスナップフィット機構を含んでよい。嵌合ねじまたは他の締めつけ固定構造は、ボトルネック部に存在可能である。
【００２６】
操作時、パッケージに締めつけ固定されているクロージャを有するパッケージの出荷中、閉鎖フラップ１６およびロッキングフラップ３８は、図１にて見られ得るように閉鎖ロック位置にある。この閉鎖位置では、閉鎖フラップ１６は凹部２０内部に受容され、円筒形プラグ２６は強固かつ固定的に、解除可能に開口部２４内部に受容される。プラグ２６の直径は、スナップフィットを提供するために開口部２４の直径よりもわずかに大きい。キャップ基部１２と共にプラグ２６は、ボトル７４または他のパッケージからの液体放出を防止する。
【００２７】
出荷のため、ロッキングフラップ３８は、図１および図２（図１にて「Ｂ」と示される）に見られるロック位置にあり、その閉鎖位置にある閉鎖フラップ１６の保定を助長するためには、ロッキングフラップの延出部材７０は穴４４と係合し、かつ穴４４の内部に受容されることが好ましい。クロージャは、凹部４４によって生じる予備空間を用い、ロッキングフラップの下に指を入れることで容易に開けることが可能である。
【００２８】
ｅ−コマースを介した輸送には、大量の製品を輸送する際に製造業者によって多くの場合用いられる製品パレットよりも、ほとんど固定されなくてもよい個別パッケージである出荷製品が多くの場合必要とされる。本発明のクロージャは、ｅ−コマースでの輸送中、パッケージにかかる追加的な応力に応じて閉鎖フラップが不意に開放することに対し、保護を目的とした予備策を提供する。
【００２９】
本発明によって提供される不意の開放に対する追加の保護は、または日常的な製品の使用、製品の家庭内での使用に必ずしも必要というわけではなく、またこれにとって望ましいものでなくてよい、ロッキングフラップをロックする予備工程を必要とする。一方で消費者は、出張、休暇またはそれ以外の際に移動する場合、こうした予備的な保護といった能力を利用したいと希望する場合がある。したがって、本発明のクロージャは、通常状態での使用を損なうことなく、同時に他方では、パッケージの輸送で必要な場合に、または乱暴な扱いが予想されるような他の状況を目的とする場合に、オプションにより提供される予備的な保護を消費者が享受したいと望むならば利用可能のままの状態であるよう、一時的にロッキングフラップを収容するといった選択を提供する。ロッキングフラップ３８の収容は、このフラップをリブ５０に対して静止させ、タブ６４（例えば図４においては位置「Ａ」）によって保定されるように、回転させることによって達成され得る。
【００３０】
ロッキングフラップが収容位置にある場合、消費者はロッキングフラップによる抵触または係り合いなしで閉鎖フラップを開閉することが可能である。特に、クロージャを閉鎖する度にロッキングフラップをパタンと閉じるという予備工程は避けられる。例えば、円筒形プラグ２６を開口部２４へとスナップフィットすることによるキャップ基部を用いた閉鎖フラップの解除可能な係合は、通常使用時のクロージャの開放を防止するには十分であると予想される。例えば旅行中のパッケージ輸送時などロッキングフラップを再度利用することが望まれる場合には、ロッキングフラップ３８を単にタブ６４から引き離すことが可能である。こうすることで、このフラップがヒンジ３４、３６上で回転するのに拘束されない状態となり、必要に応じてアームまたは他の延出部材７０を穴４４へと入れる（または他のロッキング機構を用いる）ことにより閉鎖フラップのロックが利用可能である。
【００３１】
一般的には、閉鎖フラップのキャップ基部への取り付け、ロッキングフラップを閉鎖フラップへの取り付けは、解除可能な取り付けではない。これはすなわち、一対のハサミなどの道具を用いることなく消費者が中程度の力を用いて容易に切断可能であるような取り付けではないということである。
【００３２】
アダプタおよびリビングヒンジは通常、ポリプロピレンまたはポリエチレン製である。使用済みポリプロピレンも同様に含まれてよい。アダプタおよび／またはリビングヒンジは、Ｄｏｍｏｙ  ｅｔ  ａｌ．による米国特許第９，６３７，６２６号に記載のヒンジ材料製であってよい。すなわち、成形された物品はヒンジを有し、この成形された物品はポリマーであり、このポリマーは、第１の高密度ポリエチレン（ＨＤＰＥ）樹脂と、第１のＨＤＰＥとは異なる第２のＨＤＰＥ樹脂との混合物を具備する。
【００３３】
混合時、第１の高密度ポリエチレン（ＨＤＰＥ）樹脂は、
ａ．約０．５ｄｇ／分〜１０ｄｇ／分のメルトインデックス（Ｉ２，１６）、
ｂ．約０．９４０ｇ／ｃｍ３〜０．９６８ｇ／ｃｍ３の密度、および
ｃ．約２５超のメルトフロー比（Ｉ２１．６：Ｉ２．１６）を有し、
ならびに
第２のＨＤＰＥ樹脂は、約３０未満のメルロフロー比（Ｉ２１．６：Ｉ２．１６）を有するという点を特徴とする。Ｄｏｍｏｙ  ｅｔ  ａｌ．による米国特許第９，６３７，６２６号の開示は、ここでは参照として本明細書に組み入れられる。クロージャは一般的には、射出成形を用いて製造される。
【００３４】
もちろん本明細書にて示され、記載された本発明の特定の形態は、本開示の教示から明らかに逸脱することなくある特定の変更がなされ得る場合のみ表されることを意図したものにすぎないことを理解されたい。
【００３５】
したがって、本発明の全範囲を決定する上で、以下の添付の特許請求の範囲が参照されなければならない。
【図１】
2022500320.tif 000003
【図２】
2022500320.tif 000004
【図３】
2022500320.tif 000005
【図４】
2022500320.tif 000006
【図５】
2022500320.tif 000007
【図６】
2022500320.tif 000008
【図７】
2022500320.tif 000009
【国際調査報告】
2022500320.tif 000010
2022500320.tif 000011
2022500320.tif 000012